(57)【要約】【課題】  モータとの連結方式の如何に関らず、手に持ち易く、持ち運びが容易なオーバーロックミシンを提供する。【解決手段】  ミシン本体１の外殻を形成するベッド２と、該ベッド２の上方に該ベッド２と隣接して設けられるアーム３と、該アーム３の左端に設けられるヘッド４を備えたオーバーロックミシンにおいて、該アーム３の右側面に持ち手部５を形成する。持ち手部５は、前記アーム３の右側面に一端が開口し略水平方向に延びる水平溝部５ａおよび該水平溝部５ａに連続し且つ略鉛直上方に向かって延びる鉛直溝部からなる。【選択図】図１
2017029777.tif 000002
【特許請求の範囲】
【請求項１】
ミシンの外殻を形成するベッドと、該ベッドの上方に該ベッドと隣接して設けられるアームと、該アームの左端に設けられるヘッドを備えたオーバーロックミシンにおいて、該ベッドまたは該アームの右側面に持ち手部が設けられ、前記持ち手部は前記ベッドまたは前記アームに溝状に且つ中途で上方に屈曲して伸びる鉤状に形成されていることを特徴とする、オーバーロックミシン。
【発明の詳細な説明】
【技術分野】
【０００１】
本発明は、縁かがり縫いや安全縫いを行うオーバーロックミシンに関する。
【背景技術】
【０００２】
ミシンの駆動方法として、ミシンテーブルに据え付けられたモータとミシンの駆動軸とをベルトで接続し、モータの回転をベルトを介してミシンの駆動軸に伝達する方法が従来より知られている（例えば、特許文献１参照）。
図５は上記特許文献１に記載されたオーバーロックミシンの正面概略図である。ミシン本体１は、箱型に形成されるベッド２と、ベッド２の上方にベッド２と隣接して配置されるアーム３により、その外殻が形成されている。また、アーム３の左端にはヘッド４が隣接して配置されている。さらに、アーム３の上方に上カバー１０が、ベッド２の下方にはオイルパン６が、それぞれ配置されている。
ヘッド４の下面から押え軸７の下端が突出しており、当該押え軸７の下端は押え台８の上面を支持している。押え台８は前後方向に延びる柱状の部材であり、その手前側端部には押さえ金９が取り付けられている。押さえ金９は押さえ軸７によって生地搬送台１６に押接されている。
ベッド２の右側面から主軸１１の一端が突出しており、当該主軸１１の一端にはハンドホイール２０が取り付けられている。ハンドホイール２０にはベルト２１が担架され、ベルト２１によって主軸１１は図示しないモータと連結されている。
【０００３】
上述のような従来公知のオーバーロックミシンを持ち運ぶとき、作業者はベルト２１をハンドホイール２０から取り外した上で、一方の手で押え台８の下面を、他方の手でハンドホイール２０を持つのが一般的である。
【０００４】
また、近年ではベルトを介さずにミシンの主軸とモータを接続する、所謂ダイレクトモータ駆動のミシンも知られている（例えば、特許文献２参照）。
図６は上記特許文献２に記載されたオーバーロックミシンの正面概略図である。ダイレクト駆動モータ１２のモータ本体１２ａがベッド２の右側面に取り付けられている。主軸１１のベッドから突出する一端はダイレクト駆動モータ１２のモータ軸１２ｂの一端とカップリング１４を介して両軸の軸心が揃うようにして連結され、モータ軸１２ｂの回転が主軸１１に伝達される。モータ軸１２ｂの他端にはハンドホイール１２ｃが取り付けられている。
【先行技術文献】
【特許文献】
【０００５】
【特許文献１】実開平６−１０９５８号公報（第２図）
【特許文献２】中国実用新案ＣＮ２７０７７９２号公報（図２、図４）
【発明の概要】
【発明が解決しようとする課題】
【０００６】
特許文献２に示されるようなダイレクトモータ駆動のオーバロックミシンを持ち運ぶとき、一方の手でハンドホイール１２ｃを持つと、ミシンの荷重によって主軸１１とモータ軸１２ｂの軸心がずれる恐れがある。また、モータ本体１２ａを持った場合は、手で持ちにくい、あるいはベッド２に対するモータ本体１２ａの取り付け強度に乏しいという問題があった。
一方、特許文献１に示されるような従来オーバーロックミシンについても、ハンドホイール２０は主軸周りの回転可能であること、またベルトカバー２２にハンドホイール２０の大半が覆われていることから、決して手で持ちやすいものではなかった。
【０００７】
したがって本発明の課題は、モータとの連結方式の如何に関らず、手に持ち易く、持ち運びが容易なオーバーロックミシンを提供することにある。
【課題を解決するための手段】
【０００８】
上記課題を解決するために、本発明は、
ミシンの外殻を形成するベッドと、該ベッドの上方に該ベッドと隣接して設けられるアームと、該アームの左端に設けられるヘッドを備えたオーバーロックミシンにおいて、該ベッドまたは該アームの右側面に持ち手部が設けられ、前記持ち手部は前記ベッドまたは前記アームに溝状に且つ中途で上方に屈曲して伸びる鉤状に形成されていることを特徴とする。
【発明の効果】
【０００９】
本発明によれば、モータとの連結方法の如何に関らず、なかんずくダイレクトモータ駆動式のオーバーロックミシンであっても、手に持ちやすく、ミシンの持ち運びが容易となる。
【図面の簡単な説明】
【００１０】
【図１】本発明の第１実施例に係るオーバーロックミシンの概略正面図である。
【図２】図１のオーバーロックミシンをＡ−Ａ断面から見た右側面図である。
【図３】本発明の第２実施例に係るオーバーロックミシンの要部を示す概略右側面図である。
【図４】本発明の第３実施例に係るオーバーロックミシンの概略正面図である。
【図５】特許文献１に係る従来オーバーロックミシンの概略正面図である。
【図６】特許文献２に係る従来オーバーロックミシンの概略正面図である。
【発明を実施するための形態】
【００１１】
以下、本発明の実施の形態を図１乃至図２に基づいて説明する。なお、本発明の実施の形態において、図５または図６に示す従来ミシンと共通する部分については同じ符号を用いて示し、詳細な説明は省略する。
ベッド２の右側面にはモータ用ブラケット１３が取り付けられ、ダイレクト駆動モータ１２のモータ本体１２ａはモータ用ブラケット１３に固定されている。モータ軸１２ｂの一端は、ベッド２の右側面から突出する主軸１１の一端とカップリング１４を介して連結されている。前記主軸１１の一端にはファン１５が取り付けられており、ファン１５はベッド２の右側面に設けられた凹部２ａに配置されている。凹部２ａの下方は開口している。ファン１５は主軸１１に同調して回転し、ファン１５の回転によって発生した風は前記した凹部２ａの開口を通じてオイルパン６側に流れるようにしてある。つまり、ファン１５はオイルパン６およびオイルパン６内の潤滑油を冷却するための装置である。
【００１２】
ベッド２の上方にベッド２と隣接して設けられるアーム３の右側面には、持ち手部５が形成されている。持ち手部５は、アーム３の右側面に開口しヘッド４側に向かって略水平に延びる水平溝部５ａと、該水平溝部５ａから連続して形成され且つ上方に向かって延びる鉛直溝部５ｂよりなる。つまり、持ち手部５はミシン本体１の正面から見て鉤状の溝に形成されている。持ち手部５の水平溝部５ａおよび鉛直溝部５ｂは、人差し指から小指までの四指が挿入可能な幅寸法に設定されている。
前述のような持ち手部５の構造によって、ミシン本体１を持ち運ぶときに、作業者の手が持ち手部５から外れにくくなっている。また、持ち手部５はアーム３に形成されているので、前述した従来技術の課題、即ちモータ軸１２ｂと主軸１１との軸心のずれ、あるいは持ち手部分の取り付け強度といった問題も解決される。
【００１３】
本実施例において、持ち手部５はアーム３に形成されているが、ベッド２に形成することも可能である。しかし、ミシン本体１の持ちやすさの面から、持ち手部５はもう一方の持ち手の作用をする押さえ台８とほぼ同じ高さに形成されることが望ましい。よって、図１乃至図２に示される本実施例において、持ち手部５はアーム３に形成されるのが好適となる。
【００１４】
図３に示すように、持ち手部５はベッド２の凹部２ａと一体に形成してもよい。この場合、凹部２ａ右側に板状のファン用カバー１９を取り付けて凹部２ａを覆うと共に、ファン用カバー１９の上部を内側（図３の紙面裏側）に向けて折り曲げて形成される折り曲げ部１９ａによって凹部２ａと持ち手部５の水平溝部５ａとをほぼ隙間なく仕切るようにしてやる。このようにすれば、ファン１５から発生した風が持ち手部５側に漏洩するのを防ぐことができる。
【００１５】
持ち手部はアームまたはベッドに外付けされて設けてもよい。図４に示すように、持ち手部１７は方形板状の部材をコの字状に折り曲げて形成されており、左側の垂直面が取り付け部１７ａ、取り付け部１７ａから外側に水平に伸びて且つ中途より下方に屈曲する面が手提げ部１７ｂとなっている。そして取り付け部１７ａにてアーム３の右側面にネジ１８で取り付けられている。
手提げ部１７ｂはその屈折面を有する構造により、持ち手が外れにくくなっている。
【００１６】
前述した持ち手部１７を採用しても、ミシン本体１を持ち運ぶときにモータ軸１２ｂと主軸１１の軸心がずれることを防止できる。持ち手部をベッドまたはアームに形成した前述の実施例と比較すると、持ち手部の取り付け強度の面で不利となるが、持ち手部の取り付け位置が比較的容易に変更できるという利点がある。
【符号の説明】
【００１７】
２          ベッド
３          アーム
４          ヘッド
５          持ち手部
５ａ        水平溝部
５ｂ        鉛直溝部
１２        ダイレクト駆動モータ
１２ａ      モータ本体
１２ｂ      モータ軸
１２ｃ      ハンドホイール
１７        持ち手部
１７ａ      取り付け部
１７ｂ      手提げ部
２０        ハンドホイール
【図１】
2017029777.tif 000003
【図２】
2017029777.tif 000004
【図３】
2017029777.tif 000005
【図４】
2017029777.tif 000006
【図５】
2017029777.tif 000007
【図６】
2017029777.tif 000008